(57)【要約】      （修正有）【課題】設置、撤去、運搬が容易に行え、単位フェンス体の下部に開放部分が生じず、資材が区画外領域側にはみ出さず、単位フェンス体を立ち状態に支持する部材が区画外領域に出っ張らず、区画外領域を通行する人の転倒事故を防止し、ガードフェンスの下部周りの美観を保つガードフェンスの提供。【解決手段】ガードフェンスを、区画領域と区画外領域との境界上に単位フェンス体４を並設してなる連続フェンス体と、連続フェンス体の両端部と隣り合う単位フェンス体４の並設部とに対応して区画領域Ａ内に配置されるベースプレート３と、ベースプレート３にボルト連結され、区画領域と区画外領域との境界に、単位フェンス体４の縦枠７の下端と抜き差し可能に差し込み接合する差し込み柱１６を一対にして立設したフェンス体支持金物５と、単位フェンス体４のフェンス材９の下部に連続して配置されて、フェンス敷設面に接地または近接する巾木６とから構成した。【選択図】    図３
2006226077.tif 000002
【特許請求の範囲】
【請求項１】
工事作業領域などの区画領域とこの区画領域の外部である区画外領域とを仕切るガードフェンスにおいて、
一対の縦枠の間にフェンス材を張った単位フェンス体を、前記区画領域と区画外領域との境界上に複数にして並設してなる連続フェンス体と、
前記連続フェンス体の両端部と隣り合う単位フェンス体の並設部とに対応して、区画領域内に配置されるベースプレートと、
一端が前記ベースプレートにボルト連結されているとともに、他端が区画領域と区画外領域との境界に位置し、前記他端に、前記単位フェンス体における縦枠の下端と抜き差し可能に差し込み接合する差し込み柱を一対にして立設して、単位フェンス体を立てるフェンス体支持金物と、
前記単位フェンス体のフェンス材の下部に連続して配置されて、フェンス敷設面に接地または近接する巾木とからなり、
前記ベースプレートを重しとして、該ベースプレートにより前記フェンス体支持金物を介して連続フェンス体の立ち状態が維持され、単位フェンス体の下部に位置する前記巾木が連続フェンス体の長さ方向に亘って連続して連続フェンス体とフェンス敷設面との間を覆っていることを特徴とするガードフェンス。
【請求項２】
上記巾木は、単位フェンス体の一方の縦枠が対応する差し込み柱から前記単位フェンス体の他方の縦枠が対応する差し込み柱までに架け渡された板材からなるものである請求項１に記載のガードフェンス。
【請求項３】
上記巾木は、単位フェンス体の一方の縦枠の下端が差し込み接合する差し込み柱と他方の縦枠の下端が差し込み接合する差し込み柱との距離を、単位フェンス体における二つ縦枠の距離に対応させるものである請求項１または２に記載のガードフェンス。
【請求項４】
上記並設部で隣り合う縦枠同士が連結されている請求項１から３の何れか一項に記載のガードフェンス。
【発明の詳細な説明】
【技術分野】
【０００１】
本発明は、工事作業領域などの区画領域とこの区画領域の外部とを仕切るとともに、その設置、撤去、運搬が容易なガードフェンスに関するものである。
【背景技術】
【０００２】
従来から、ある特定の領域などを区画領域とし、前記区画領域とこの外部である区画外領域とを仕切って区画領域に部外者の立ち入りを防止するためにガードフェンスが敷設されている。そして、工事現場などで作業領域への立ち入りを防止する目的で設けられるガードフェンスにあっては、区画する領域がしばしば変更されてガードフェンスの位置が変わることが多く、そのために設置、撤去、運搬が容易に行えるように構成されている。
例えば、この用途に合うガードフェンスは、一対の縦枠の間にフェンス材を張った単位フェンス体を区画領域と区画外領域との境界に複数にして並べて連続フェンス体とするとともに、単位フェンス体の立ち状態を維持する重しである基礎を、前記連続フェンス体の両端部と隣り合う単位フェンス体の並設部とに対応する境界上の位置に配置し、その基礎に設けられた差し込み筒や差し込み孔などに単位フェンス体の縦枠の下端を差し入れた構成としている（特許文献１参照）。
そしてこのようなガードフェンスにおいては、設置場所の起伏に応じることができるように単位フェンス体の縦枠間に横枠をピン連結するとともに、伸縮できる斜め枠を縦枠の間にピン連結する工夫が提案されている（特許文献２）。また、単位フェンス体を直線状に並設する場合に、上記基礎に代えて重量物である鋼材を横にして配置して、この鋼材に単位フェンス体それぞれを立て状態にして取り付ける工夫も提案されている（特許文献３参照）。
【特許文献１】特開平０７−０６２８９２号公報
【特許文献２】特開平１０−１５９３９８号公報
【特許文献３】特開平１０−１５９０４０号公報
【発明の開示】
【発明が解決しようとする課題】
【０００３】
屋外の平地や屋内の平らな床の上で仮設としてガードフェンスを組む場合には、上述したように基礎を間隔を取って並べ、これに隣り合う一方の単位フェンス体の縦枠と他方の単位フェンス体の縦枠それぞれの下端を差し込んで支持させた状態とし、隣り合う単位フェンス体を間隔を空けることなく並べて連続フェンス体を構成することが一般的に多く行われている。
【０００４】
しかしながら、図６と図７に示すようにこの構成のガードフェンスａにおいては、単位フェンス体ｂの縦枠ｃが差し込まれる基礎ｄが或る程度の高さを有した円柱形状や四角柱形状であるため、フェンス材ｅの下端位置が前記基礎ｄの天端近くとなって、そのフェンス材ｅの下部が開放され、区画領域にあるべき資材、単管、番線などの一部が誤って前記開放部分ｇを通して区画外領域にはみ出し易くなっている。また、基礎自体も区画領域と区画外領域とに跨る形状であって区画外領域に出っ張った障害物となる。そして、前記開放部分を通してはみ出たものや基礎の出っ張りが地面上や床上で人の目に付き難い高さにあることから、区画外領域を通る通行人などがこれにつまづいて転倒する事故が発生する可能性がある。
さらにガードフェンスとしては区画領域の空間を或る程度隠す役割も有するものとなっているが、上記開放部分ｇが連続フェンス体の長手方向に亘って単位フェンス体の下ごとに存在し、区画領域におけるガードフェンス近傍の地面や床上が区画外領域側から直接見えてしまうために、ガードフェンス下部周りの美観が損なわれるという欠点があった。
【０００５】
そこで本発明は上記事情に鑑み、設置、撤去、運搬が容易に行える利点を損なうことなく、単位フェンス体の下部に開放部分が生じないようにするとともに、単位フェンス体の下部から資材などが区画外領域側にはみ出したりしないように、また単位フェンス体を立ち状態に支持する部材が区画外領域に出っ張ったりしないようにすることを課題とし、区画外領域を通行する人の転倒事故を防止し、ガードフェンスの下部周りの美観が損なわれないようにすることを目的とするものである。
【課題を解決するための手段】
【０００６】
本発明は上記課題を考慮してなされたもので、工事作業領域などの区画領域とこの区画領域の外部である区画外領域とを仕切るガードフェンスにおいて、一対の縦枠の間にフェンス材を張った単位フェンス体を、前記区画領域と区画外領域との境界上に複数にして並設してなる連続フェンス体と、前記連続フェンス体の両端部と隣り合う単位フェンス体の並設部とに対応して、区画領域内に配置されるベースプレートと、一端が前記ベースプレートにボルト連結されているとともに、他端が区画領域と区画外領域との境界に位置し、前記他端に、前記単位フェンス体における縦枠の下端と抜き差し可能に差し込み接合する差し込み柱を一対にして立設して、単位フェンス体を立てるフェンス体支持金物と、前記単位フェンス体のフェンス材の下部に連続して配置されて、フェンス敷設面に接地または近接する巾木とからなり、前記ベースプレートを重しとして、該ベースプレートにより前記フェンス体支持金物を介して連続フェンス体の立ち状態が維持され、単位フェンス体の下部に位置する前記巾木が連続フェンス体の長さ方向に亘って連続して連続フェンス体とフェンス敷設面との間を覆っていることを特徴とするガードフェンスを提供して、上記課題を解消するものである。
【０００７】
そして、本発明において、上記巾木は、単位フェンス体の一方の縦枠が対応する差し込み柱から前記単位フェンス体の他方の縦枠が対応する差し込み柱までに架け渡された板材からなるものとすることが可能である。
また、本発明において、上記巾木は、単位フェンス体の一方の縦枠の下端が差し込み接合する差し込み柱と他方の縦枠の下端が差し込み接合する差し込み柱との距離を、単位フェンス体における二つ縦枠の距離に対応させるものとすることが可能である。
また、本発明において、上記並設部で隣り合う縦枠同士が連結されているものとすることが良好である。
【発明の効果】
【０００８】
請求項１の発明によれば、ベースプレートとフェンス体支持金物が区画領域にあって、連続フェンス体が区画領域と区画外領域との境界に位置するため、ガードフェンスは区画外領域側に出っ張る部分を有しないものとなる。また、フェンス材の下部には、フェンス敷設面に接地または近接する位置までに達する巾木を有しているため、フェンス材の下方に開放部分が生じず、よって上述した区画領域に置いた単管、資材、番線などの一部がガードフェンス下を通って区画外領域側にはみ出るということを防止でき、さらには巾木によって区画領域のガードフェンス側の地面や床上を区画外領域側から見えないようになり、カードフェンスの下部周りの美観を損なわないなど、優れた効果を奏するものである。
【０００９】
請求項２の発明によれば、巾木に単管、資材、番線などがぶつかることがあっても、これらが区画外領域に飛び出るのを確実に防止する。また、巾木の取付の時点でこの巾木の並びを揃えることで、単位フェンス体それぞれの並び位置が事前に決定でき、設置後の連続フェンス体を位置調整する手間を解消することができる。
【００１０】
請求項３の発明によれば、一つのフェンス体支持金物の差し込み柱から、もう一つのフェンス体支持金物の差し込み柱に架け渡すので、単位フェンス体の縦枠の下端を差し込むときにはその下端を差し込み柱に当てがうだけでよく、単位フェンス体の組み付けが容易になる。
【００１１】
請求項４の発明によれば、隣り合う単位フェンス体が一体となるため、複数の単位フェンス体の並び状態がより安定したものとなる。
【発明を実施するための最良の形態】
【００１２】
つぎに本発明を図１から図４に示す実施の形態に基づいて詳細に説明する。
図中１はガードフェンスで、図１に示すように区画領域Ａと区画外領域Ｂとの境界上に配置される連続フェンス体２と、前記区画領域Ａ内に配置されるベースプレート３と、一端が前記ベースプレート３にボルト連結され、他端が前記境界に位置して連続フェンス体２の単位要素である後述の単位フェンス体４を立ち状態に支持するフェンス体支持金物５と、巾木６からなるものであり、このガードフェンス１が区画領域Ａと区画外領域Ｂとを仕切り、区画領域Ａに対して部外者の立ち入りが行われないようにするとともに、区画領域Ａ内の空間が、例えば工事作業場などであることを区画外領域Ｂを通行する人員に明示する役割をも有している。
【００１３】
（連続フェンス体、単位フェンス体）
上記ガードフェンス１において連続フェンス体２は、区画領域Ａと区画外領域Ｂとの境界上にこの境界に沿って上記単位フェンス体４を並設してなるものである。そして、単位フェンス体４は、一対の縦枠７それぞれの下端を差し込み脚７ａ（図３参照）とし、この差し込み脚７ａの上位置で縦枠７の間に横枠８が渡されているとともに、縦枠７の上端の間にも横枠８が渡され、さらに中段として一本の横枠８が縦枠７の間に渡されていて、縦枠７と上端、中段の横枠８に囲まれた位置と、そして縦枠７と中段、下段の横枠８に囲まれた位置とに、金網とメッシュ状の幕体とを重ねた状態で取り付けることで、一対の縦枠７の間にフェンス材９を張った構成としている。
【００１４】
（ベースプレート）
カードフェンス１におけるベースプレート３は複数枚が区画領域Ａの地面上や床上に配置され、複数枚のベースプレート３全体で、上記単位フェンス体４を立ち並べてなる連続フェンス体２の立ち状態を維持して転倒を防止する重しの働きを果たすものであり、連続フェンス体２の両端部１０と単位フェンス体４が隣り合っている並設部１１とに対応して配置される。
このベースプレート３それぞれは敷設作業員が一人で取り扱える重量とした金属板からなるものである。また、図２に示すように、このベースプレート３の四隅には地面や床に対してアンカー留めできるようにアンカー固定孔１２が設けられており、必要に応じてベースプレート３を強固に固定することが可能である。さらに、ベースプレート３には上記フェンス体支持金物５をボルト連結するための取付孔１３が複数個所に開口していて、何れかの取付孔１３を選択してフェンス体支持金物５の一端をボルト連結できるように設けられている。
【００１５】
（フェンス体支持金物）
上記フェンス体支持金物５は、区画領域Ａに配置された上記ベースプレート３に一端１４がボルト連結されるとともに、区画領域Ａと区画外領域Ｂとの境界に他端１５が位置するアングル組材からなるものである（図４）。そして、このフェンス体支持金物５の前記他端１５には、一対にして差し込み柱１６が立設されており、連続フェンス体２の端部１０や並設部１１における縦枠７の差し込み脚７ａそれぞれが抜き差し可能にした状態で差し入れ接合されている。
このようにフェンス体支持金物５の立設した差し込み柱１６と縦枠７の差し込み脚７ａとが差し込み接合して単位フェンス体４が立てられており、フェンス体支持金物５が重しであるベースプレート３に連結されているので、単位フェンス体４の立ち状態が維持され、よって、この単位フェンス体４からなる連続フェンス体２の立ち状態が維持されている。
【００１６】
（巾木）
さらに本ガードフェンス１では、単位フェンス体２のフェンス材９の下部に、このフェンス材９とは別部材とした上記巾木６がフェンス材９と連続するようにして配置され、連続フェンス体２の長さ方向に亘ってこの巾木６が設けられている。
巾木６は最下段に位置する上記横枠８からフェンス敷設面に近接する高さ寸法を有し、両端を円筒部１７とした板材からなるものである。そして両端の前記円筒部１７の内径は、縦枠７の差し込み脚７ａと前記差し込み柱１６との差し込み接合された部分を覆うことができる寸法とされ（図５参照）、二つの円筒部１７の距離が単位フェンス体４の縦枠７の距離と対応している。
このため、一方の円筒部１７の内側に一方のフェンス体支持金物５の差し込み柱１６が位置するように、また他方の円筒部１７の内側にもう一方のフェンス体支持金物５の差し込み柱１６が位置するように、二つのフェンス体支持金物５の差し込み柱１６に巾木６を架け渡してから、単位フェンス体４の縦枠７の差し込み脚７ａそれぞれを対応する差し込み柱１６に差し込み接合すると、立った状態の単位フェンス体４のフェンス材９の下部に、フェンス敷設面に近接する前記巾木６が位置することとなり、単位フェンス体４の下部に開放部分が形成されない。
【００１７】
ガードフェンス１では上記の形態が連続フェンス体２での単位フェンス体４ごとに形成されている。即ち、一対にした差し込み柱１６が設けられたフェンス体支持金物５の他端１５が、単位フェンス体４の並設部１１に対応位置していることから、隣り合う巾木６の内、一方の巾木６の円筒部１７が、この並設部１１でのフェンス体支持金物４の一方の差し込み柱１６に架けられ、他方の巾木６の円筒部１７が他方の差し込み柱１６に架けられる。そして同様に隣り合う単位フェンス体４の内、一方の単位フェンス体４の前記並設部１１側の縦枠７の差し込み脚７ａが、並設部１１のフェンス体支持金物４の一方の差し込み柱１６と差し込み接合され、他方の単位フェンス体４の並設部１１側の縦枠７の差し込み脚７ａが、並設部１１のフェンス体支持金物４の他方の差し込み柱１６と差し込み接合される（図３）。連続フェンス体２の両端部でもフェンス体支持金物５の他端１５が対応位置していて、それぞれのフェンス体支持金物４における一本の差し込み柱１６のみに巾木６の円筒部１７が架けられ、最端部側の縦枠７の差し込み脚７ａが差し込み接合される。
このように下部に巾木６を配した単位フェンス体４が並設されて連続フェンス体２を構成したガードフェンス１では、連続フェンス体２の下部が連続フェンス体２の長さ方向に亘って巾木６によって閉鎖されたものとなり、よって、連続フェンス体２の下部周りの美観を損なわないように設けられている。
【００１８】
本ガードフェンス１を組み立てに際しては、区画領域Ａと区画外領域Ｂとの境界に沿って上記巾木６を配置しながら、連続フェンス体２の端部１０が位置することになる部分と単位フェンス体４の並設部１１が位置することになる部分とに対応してベースプレート３を区画領域Ａに配置し、また、連続フェンス体２の端部１０が位置することになる部分と単位フェンス体４の並設部１１が位置することになる部分とにある巾木６の円筒部１７を架けながらフェンス体支持金物５を配置して、そのフェンス体支持金物５の一端１４を前記ベースプレート３にボルト連結する。
この巾木６を上記境界に沿って配置し、ベースプレート３の配置とフェンス体支持金物５の架け渡しが終了すれば、巾木６が立った状態で並び、また、単位フェンス体４それぞれに一対となって対応する二本の差し込み柱１６が、巾木６によって、単位フェンス体４の二本の縦枠７の距離に応じた距離に離れた位置となっているので、この後は単位フェンス体４の縦枠７の差し込み脚７ａを円筒部１７の内側にある差し込み柱１６に単に当てがうだけでよく、両者を差し込み接合してその単位フェンス体４を並び設けるようにすればよい。
このようにして連続フェンス体２が形成されてガードフェンス１が得られる。このガードフェンス１を解体する場合は上述した組立ての逆の手順を行なえばよく、単位フェンス体４を引き抜いた後、巾木６を取り除くとともに、フェンス体支持金物５とベースプレート３とのボルト連結を解くようにする。
【００１９】
本ガードフェンス１において、図示されているように、上記並設部１１には隣り合う単位フェンス体４を連結する連結具１８を並設状態にある縦枠７の上端側に架け渡すことが、単位フェンス体４の並び状態を安定させる上で有効である。また、巾木６はフェンス敷設面の地面や床に接する高さ寸法のものであってもよい。さらに連続フェンス体２の立ち状態をより安定させるために上記ベースプレート３をアンカー留めしてもよい。
【００２０】
本ガードフェンス１では、差し込み接合する縦枠７の差し込み脚７ａとフェンス体支持金物５の差し込み柱１６とは共に円管状であり、実施の形態にあっては図５に示すように差し込み脚７ａ内に差し込み柱１６を挿入することで、差し込み脚７ａが抜き差し可能にして差し込み柱１６と差し込み接合される。そして、この差し込み脚７ａと差し込み柱１６とが共に円管状であることから、フェンス体支持金物５の長手方向に対する単位フェンス体４の幅方向の角度が限定されず、フェンス体支持金物５の長手方向に対する単位フェンス体４の幅方向の角度が例えば鋭角となるように単位フェンス体４を配置することが可能である。
そこで、ガードフェンス１により四角い区画領域Ａを囲む場合、図２に示すように例えば９０度に曲げられた並設部１１に他端１５が配される上記フェンス体支持金物５を、前記並設部１１で形成される内角側の略中央を通るように配置し、区画領域Ａに収まるように位置させたベースプレート３にボルト連結することができる。よって、コーナーの並設部１１に対応するベースプレート３の一部分が境界を跨いで区画外領域Ｂにはみ出ることを防止できる。
【００２１】
また、ガードフェンス１の端部、即ち連続フェンス体２の端部１０が、ガードフェンス敷設場所での既設物の立面ｆに相対するように配置される場合が多いが、本ガードフェンス１では上述したように、差し込み脚７ａと差し込み柱１６とが共に円管状で、フェンス体支持金物５の長手方向に対する単位フェンス体４の幅方向の角度を鋭角となるように単位フェンス体４を配置することが可能であることから、端部１０側の単位フェンス体４と既設物の立面ｆとで形成される内角側の略中央を通るようにそのフェンス体支持金物５を配置し、区画領域Ａに収まるように位置させたベースプレート３にボルト連結すればよい（図２参照）。
このように端部１０側の単位フェンス体４に近寄った位置にフェンス体支持金物５とベースプレート３とを配置させ、端部１０から単位フェンス体４の長手方向外方にフェンス体支持金物５とベースプレート３とを存在させないようにすることができるため、端部１０を既設物の立面ｆと近接して隙間を極力狭くすることができ、図７に示す従来例と比べてもその隠蔽効果がより一層高まるものとなる。
【００２２】
ガードフェンス１を構成している複数の単位フェンス体４中には、扉付き単位フェンス体がある。この場合、フェンス材９が位置する半面を扉部１９としている。そして、この扉付きの単位フェンス体にあっても上述した巾木が下部に配される点は同じである。
【図面の簡単な説明】
【００２３】
【図１】本発明に係るガードフェンスの一例を示すもので、（イ）は側面から見た状態を示す説明図、（ロ）は断面を示す説明図である。
【図２】一例を上方から見た状態で示す説明図である。
【図３】単位フェンス体の取付を示す説明図である。
【図４】フェンス体支持金物を示す説明図である。
【図５】フェンス体支持金物におけるさし込み柱と巾木円筒部と単位フェンス体縦枠の差し込み脚との重なりを概略的に示す説明図である。
【図６】従来のガードフェンスの一例を示すもので、（イ）は側面から見た状態を示す説明図、（ロ）は断面を示す説明図である。
【図７】従来のガードフェンスを上方から見た状態で示す説明図である。
【符号の説明】
【００２４】
１…ガードフェンス
２…連続フェンス体
３…ベースプレート
４…単位フェンス体
５…フェンス体支持金物
６…巾木
７…単位フェンス体の縦枠
７ａ…差し込み脚
１０…連続フェンス体の端部
１１…単位フェンス体の並設部
１６…差し込み柱
１７…円筒部
１８…連結具
Ａ…区画領域
Ｂ…区画外領域
ｆ…既設部の立面
【図１】
2006226077.tif 000003
【図２】
2006226077.tif 000004
【図３】
2006226077.tif 000005
【図４】
2006226077.tif 000006
【図５】
2006226077.tif 000007
【図６】
2006226077.tif 000008
【図７】
2006226077.tif 000009